(57)【要約】      （修正有）【課題】どのような体位であっても、尿が漏れることなく安心して排尿することができる男性用尿袋及び尿袋用ズボンの提供にある。【解決手段】男性用尿袋１は、開口２を有する長筒状の本体部３と、前記開口２には上下方向に伸縮自在な蛇腹状からなる開口部４とからなり、本体部３は排尿された尿を吸収する吸収部とこの吸収部の表面をコーティングする防水部からなる。  尿袋用ズボン１０は、前面側の左右に位置する左右ポケット１１には、その下部に尿袋１の本体部３が収納する尿袋用ポケット１２を設け、左右ポケット１１には尿袋１を尿袋用ポケット１２の収納可能な差込用開口１３を形成し、尿袋用ポケット１２には、尿袋１の開口部４が股間箇所に位置する尿袋用開口１４を設けてなる。【選択図】図４
2006006633.tif 000002
【特許請求の範囲】
【請求項１】
開口を有する長筒状の本体部と、前記開口には上下方向に伸縮自在な蛇腹状からなる開口部とからなり、本体部は排尿された尿を吸収する吸収部とこの吸収部の表面をコーティングする防水部からなる尿袋。
【請求項２】
前面側の左右に位置する左右ポケットには、その下部に尿袋の本体部が収納する尿袋用ポケットを設け、左右ポケットには尿袋を尿袋用ポケットの収納可能な差込用開口を形成し、尿袋用ポケットには、尿袋の開口部が股間箇所に位置する尿袋用開口を設けてなる尿袋用ズボン。
【発明の詳細な説明】
【技術分野】
【０００１】
本発明は、男性用尿袋及び尿袋用ズボンに関するものである。
【背景技術】
【０００２】
従来、尿漏れ対策としては、就寝の際には、尿瓶若しくは紙おむつを使用しており、又、外出時には、トイレが近くて心配のある人は、失禁用の下着を使用している。
【０００３】
しかし、身体能力が衰えると、尿瓶等では形状が決まっているために融通が効かなくて、上手くできずに漏らしてしまうことがあった。また、紙オムツでは、その装着が煩雑で手間隙が生じている。男性を介護する場合においては、その人の尊厳の問題もある。
失禁用の下着では、その尿量も制限があり、誰でもが使用できないし、又、介護者への負担も大きいという欠点がある。
【０００４】
そこで、どのような体位であって手軽に使用でき、寝たままの状態であっても尿が内部から漏れることなく、また、寝具の衛生上の問題や介護者の負担軽減も含めて、安心して使用できる尿袋があれば便利である。
【０００５】
また、外出時において、尿量に心配することなく安心して使用できる手軽な尿袋があれば非常に便利である。
【特許文献１】特開２００３−２６００７７号公報
【発明の開示】
【発明が解決しようとする課題】
【０００６】
本発明は、どのような体位であっても、尿が漏れることなく安心して排尿することができる男性用尿袋及び尿袋用ズボンの提供にある。
【課題を解決するための手段】
【０００７】
本発明に係る男性用尿袋は、開口を有する長筒状の本体部と、前記開口には上下方向に伸縮自在な蛇腹状からなる開口部とからなり、本体部は排尿された尿を吸収する吸収部とこの吸収部の表面をコーティングする防水部からなることを特徴とする。
【０００８】
又、本発明に係る尿袋用ズボンは、前面側の左右に位置する左右ポケットには、その下部に尿袋の本体部が収納する尿袋用ポケットを設け、左右ポケットには尿袋を尿袋用ポケットの収納可能な差込用開口を形成し、尿袋用ポケットには、尿袋の開口部が股間箇所に位置する尿袋用開口を設けてなることを特徴とする。
【発明の効果】
【０００９】
男性用尿袋は、蛇腹状の伸縮可能な開口部があるので、開口部を伸縮させることによりにより、男性の陰茎部を容易に尿袋に差し込むことができ、排尿は本体部内の吸収部で吸収することができる。
本体部内の排尿は吸収部が防水部によりコーティングされているので、外部に漏れることがない。
【００１０】
尿袋用ズボンは、その左右ポケットの下部に、尿袋用ポケットが設けられるので、尿袋用ポケットに尿袋を入れ、この尿袋の開口部を尿袋用ポケットの尿袋用開口から股間位置に出すことができ、尿袋の開口部を伸縮させながら男性の陰茎部を開口部に差し込むことができ、使用者はこの尿袋により排尿をすることができる。その為、失禁による下着の汚れを心配することなく安心して外出することができる。
【発明を実施するための最良の形態】
【００１１】
本発明にかかる一実施例を図面により説明する。
男性用尿袋１は、図1、２に示すように、開口２を有する長筒状の本体部３と、前記開口２には上下方向に伸縮自在な蛇腹状からなる開口部４とからなり、本体部３は排尿された尿を吸収する吸収部５とこの吸収部５の表面をコーティングする防水部６からなる。
【００１２】
本体部３は、上下方向に長筒状からなり、本体部３の吸水部５はその表面側が漏水を防止すべく防止部６により覆われている。
その為、本体部３の内部に入った尿は吸水部５により吸収され、防水部６により被覆されているので、外部に漏れることがない。
【００１３】
吸水部５は主としてフラッフパルプと超吸収性ヒドロゲル粒子との混合物が圧縮されてなり、その全体が透水性薄膜、例えば、ティッシュペーパーで被覆されている。
又、防水部６は、例えば、可撓性かつ不透液性のプラスチックフィルムからなっている。
【００１４】
そして、本体部３の開口２には、開口部４が設けられている。この開口部４は、蛇腹状からなり、蛇腹状の開口部４を収縮させることにより、その長さを変更することができる。
開口部４は、その内側には陰茎部を開口部４に差し込んだ際、陰茎部との接触感を和らげるべく緩衝材が設けられている。
【００１５】
開口部４は、蛇腹状からなり、収縮させることができるので、尿袋１と陰茎部との位置あわせが容易にでき、確実に尿を尿袋１内に入れることができる。
【００１６】
次に、尿袋用ズボンにつき説明する。
尿袋用ズボン１０は、図4に示すように、前面側の左右に位置する左右ポケット１１には、その下部に尿袋１の本体部３を収納する尿袋用ポケット１２を設け、左右ポケット１１には尿袋１を尿袋用ポケット１２へ収納可能な差込用開口１３を形成し、尿袋用ポケット１２には、尿袋１の開口部４が股間箇所に位置する尿袋用開口１４を設けてなる。
【００１７】
左右ポケット１１の差込用開口１３は、尿袋１を尿袋用ポケット１２に入れるための差込口で、この差込用開口１３には開閉できるように開閉可能なファスナーを付けることもでき、ファスナーを付けると、尿袋１を尿袋用ポケット１２に差し込んだ際には、ファスナーを閉じると、左右ポケットに入れたものが外部に落下することがなく、尿袋１を尿袋用ポケット１２から取り出す際には、ファスナーを開くと、左右ポケット１１から手を入れて、尿袋１を外部に取り出すことができる。
この様に、差込用開口１３には開閉できるように開閉可能なファスナーを取り付けると、尿臭防止になる。
【００１８】
尿袋１は尿袋用ポケット１２に入れると、尿袋１の開口部４が尿袋用ポケット１２の尿袋用開口１４から男性の股間箇所に位置する。
【００１９】
使用者は、この蛇腹状からなる開口部４の長さを収縮して、陰茎部を開口部４に差込むと、尿袋１は尿袋用ポケット１２で保持されているので、尿が尿袋１内に入り込み、失禁の心配のある人でも下着を汚すことがなく、いつでもどこでも尿袋１を装着することにより排尿の心配がなく、安心して外出することができる。
【００２０】
尿袋１は、使用後、図3に示すように、尿袋１の開口部４を折り曲げて、例えばテープで止めて廃棄することができる。
【図面の簡単な説明】
【００２１】
【図１】本発明に係る一実施例の尿袋の斜視図である。
【図２】図1に示す尿袋の使用状態の斜視図である。
【図３】図1に示す尿袋の使用後の状態を示す斜視図である。
【図４】本発明に係る尿袋用ズボンの正面図である。
【符号の説明】
【００２２】
１    尿袋
１０  尿袋用ズボン
【図１】
2006006633.tif 000003
【図２】
2006006633.tif 000004
【図３】
2006006633.tif 000005
【図４】
2006006633.tif 000006